(57)【要約】【課題】コンテンツ提供者が提供する広告などのコンテンツを受動的なユーザに積極的に提示し閲覧可能にさせる。【解決手段】膨大なネットワークコンテンツを検索対象とし、コンテンツ提供者がお勧めするコンテンツヘのガイドサービス（リンクサービス）を行うコンテンツガイドシステムにおいて、コンテンツ提供者が選んだ広告などのお勧めコンテンツをコンテンツリストとして管理し、ガイドサービスを受けるユーザに対し、プッシュ的にそのコンテンツを提示する。【選択図】　　　　図１
2004078475.tif 000002
【特許請求の範囲】
【請求項１】
ネットワーク上を配信されるコンテンツへのガイドサービスを行うことによりユーザに前記コンテンツを提示する装置において、
少なくとも前記コンテンツのＩＤと関連づけて、前記コンテンツのサムネイル画像と、前記コンテンツのＵＲＬと、前記コンテンツに対応するプレビュー用コンテンツのＵＲＬと、前記サムネイル画像の二次元画面上での表示位置を表す座標値とを前記コンテンツのプロファイルとして管理する管理部と、
複数のコンテンツＩＤがコンテンツリストとして登録される第１のコンテンツリスト部と、
ユーザの一定時間の無操作に応じて、第１のコンテンツリスト部の全てのコンテンツＩＤに対応する管理部内のコンテンツプロファイルを各コンテンツＩＤ毎に順次取り出す第１の取出手段と、
前記第１の取出手段により取り出されたコンテンツプロファイルを順次入力すると、入力したコンテンツプロファイルに含まれるサムネイル画像を、入力した座標値で示される前記二次元画面の位置に順次表示する第１の表示手段と、
第１の表示手段により二次元画面に表示中の各サムネイル画像を順次選択的に前記二次元画面の中央部に移動させ拡大表示するとともに、入力した前記コンテンツプロファイルに含まれ前記拡大サムネイル画像に対応するプレビュー用コンテンツのＵＲＬをもとにこのプレビュー用コンテンツを取得し、前記拡大サムネイル画像の位置に所定時間表示する表示制御手段と
を備えたことを特徴とするプッシュ型コンテンツ提示装置。
【請求項２】
請求項１において、
前記二次元画面に前記サムネイル画像の表示領域として設けられたサムネイル領域と、
複数のコンテンツＩＤがコンテンツリストとして登録される第２のコンテンツリスト部と、
ユーザの前記ガイドサービスへのログインを検出すると、第２のコンテンツリスト部の全てのコンテンツＩＤに対応する管理部内のコンテンツプロファイルを各コンテンツＩＤ毎に順次取り出す第２の取出手段と、
前記第２の取出手段により取り出されたコンテンツプロファイルを順次入力すると、入力したコンテンツプロファイルに含まれるサムネイル画像を前記サムネイル領域に順次表示する第２の表示手段と、
第２の表示手段により前記サムネイル領域に表示中の前記サムネイル画像へのクリックを検出すると、このサムネイル画像に対応するコンテンツ及びプレビュー用コンテンツの何れか一方をこのコンテンツのＵＲＬをもとに取得し、前記二次元画面の前記サムネイル領域以外の領域に表示する第３の表示手段と
を備えたことを特徴とするプッシュ型コンテンツ提示装置。
【請求項３】
ネットワーク上を配信されるコンテンツへのガイドサービスを行うことによりユーザに前記コンテンツを提示するコンテンツ提示方法において、
少なくとも前記コンテンツのＩＤと関連づけて、前記コンテンツのサムネイル画像と、前記コンテンツのＵＲＬと、前記コンテンツに対応するプレビュー用コンテンツのＵＲＬと、前記サムネイル画像の二次元画面上での表示位置を表す座標値とを前記コンテンツのプロファイルとして記憶部に記憶する第１のステップと、
複数のコンテンツＩＤをコンテンツリストとして第１のコンテンツリスト部に登録する第２のステップと、
ユーザの一定時間の無操作に応じて、第１のコンテンツリスト部の全てのコンテンツＩＤに対応する記憶部内のコンテンツプロファイルを各コンテンツＩＤ毎に順次取り出す第３のステップと、
前記第３のステップの処理に基づき取り出されたコンテンツプロファイルを順次入力すると、入力したコンテンツプロファイルに含まれるサムネイル画像を、入力した座標値で示される二次元画面の位置に順次表示する第４のステップと、
前記第４のステップの処理に基づき二次元画面に表示中の各サムネイル画像を順次選択的に前記二次元画面の中央部に移動させ拡大表示するとともに、入力した前記コンテンツプロファイルに含まれ前記拡大サムネイル画像に対応するプレビュー用コンテンツのＵＲＬをもとにこのプレビュー用コンテンツを取得し、前記拡大サムネイル画像の位置に所定時間表示する第５のステップと
を有することを特徴とするプッシュ型コンテンツ提示方法。
【請求項４】
請求項３において、
複数のコンテンツＩＤをコンテンツリストとして第２のコンテンツリスト部に登録する第５のステップと、
ユーザの前記ガイドサービスへのログインを検出すると、第２のコンテンツリスト部の全てのコンテンツＩＤに対応する記憶部内のコンテンツプロファイルを各コンテンツＩＤ毎に順次取り出す第６のステップと、
前記第６のステップの処理に基づき取り出されたコンテンツプロファイルを順次入力すると、入力したコンテンツプロファイルに含まれるサムネイル画像を、前記二次元画面に前記サムネイル画像の表示領域として設けられたサムネイル領域に順次表示する第７のステップと、
前記第７のステップの処理に基づき前記サムネイル領域に表示中の前記サムネイル画像へのクリックを検出すると、このサムネイル画像に対応するコンテンツ及びプレビュー用コンテンツの何れか一方をこのコンテンツのＵＲＬをもとに取得し、前記二次元画面の前記サムネイル領域以外の領域に表示する第８のステップと
を有することを特徴とするプッシュ型コンテンツ提示方法。
【請求項５】
請求項３または請求項４に記載されたプッシュ型コンテンツ提示方法をコンピュータに実行させるためのプログラム。
【請求項６】
請求項３または請求項４に記載されたプッシュ型コンテンツ提示方法をコンピュータに実行させるためのプログラムを記録したコンピュータ読み取り可能な記録媒体。
【発明の詳細な説明】
【０００１】
【発明の属する技術分野】
本発明は、ネットワーク放送コンテンツなどのような膨大なネットワークコンテンツを検索対象とし、ユーザが所望するコンテンツ、或いはコンテンツ提供者がお勧めするコンテンツヘのガイドサービス（リンクサービス）を行う散策型コンテンツガイドシステムに関し、特に膨大なネットワークコンテンツの中から、システム管理者、或いはコンテンツ提供者が選んだお勧めコンテンツをコンテンツリストとして管理し、散策型コンテンツカイドサービスを受けるユーザに対して、コンテンツをプッシュ的に提示するプッシュ型コンテンツ提示装置、プッシュ型コンテンツ提示方法、プログラム、及び記録媒体に関する。
【０００２】
【従来の技術】
従来から良く知られているコンテンツガイドシステムとして、新聞の番組欄の形式を踏襲したＥＰＧ（Ｅｒｅｃｔｒｏｎｉｃ　Ｐｒｏｇｒａｍｉｎｇ　Ｇｕｉｄｅ）と呼ばれるインターネット上の番組ガイドシステム（例：インターネットＴＶガイド）がある。
【０００３】
【発明が解決しようとする課題】
このような番組ガイドをコンテンツポータルとして利用し、この番組ガイドに付随してバナー広告（Ｗｅｂページに表示される看板型の広告）を提示するシステムが存在する。しかしながら、バナー広告は広告としての情報量が少ないことから、比較的受動的なユーザがこれらの広告をアクセスする機会は極めてまれであり、広告としての効果が小さいことが指摘されている。
【０００４】
したがって、本発明は、コンテンツ提供者が提供する広告などのお勧めコンテンツを受動的なユーザに積極的に提示し閲覧可能にさせることを目的とする。
【０００５】
【課題を解決するための手段】
このような課題を解決するために本発明は、膨大なネットワークコンテンツを検索対象とし、ユーザが所望するコンテンツ、或いはコンテンツ提供者がお勧めするコンテンツヘのガイドサービス（リンクサービス）を行うコンテンツガイドシステムにおいて、システム管理者、或いはコンテンツ提供者が選んだお勧めコンテンツをコンテンツリストとして管理し、散策型コンテンツガイドサービスを受けるユーザに対し、プッシュ的にそのコンテンツを提示するようにしたものである。
【０００６】
具体的には、コンテンツのＩＤと関連づけて、コンテンツのサムネイル画像と、コンテンツのＵＲＬと、コンテンツに対応するプレビュー用コンテンツのＵＲＬと、サムネイル画像の二次元画面上での表示位置を表す座標値とをコンテンツのプロファイルとして記憶部に記憶する第１のステップと、複数のコンテンツＩＤをコンテンツリストとして第１のコンテンツリスト部に登録する第２のステップと、ユーザの一定時間の無操作に応じて、第１のコンテンツリスト部の全てのコンテンツＩＤに対応する記憶部内のコンテンツプロファイルを各コンテンツＩＤ毎に順次取り出す第３のステップと、第３のステップの処理に基づき取り出されたコンテンツプロファイルを順次入力すると、入力したコンテンツプロファイルに含まれるサムネイル画像を、入力した座標値で示される二次元画面の位置に順次表示する第４のステップと、第４のステップの処理に基づき二次元画面に表示中の各サムネイル画像を順次選択的に二次元画面の中央部に移動させ拡大表示するとともに、入力したコンテンツプロファイルに含まれ前記拡大サムネイル画像に対応するプレビュー用コンテンツのＵＲＬをもとにこのプレビュー用コンテンツを取得し、拡大サムネイル画像の位置に所定時間表示する第５のステップとを有するようにした方法である。これにより、受動的なユーザに対し強制的にコンテンツを提示できることから、受動的なユーザにおいては、新たなコンテンツとの出会いを享受できるとともに、コンテンツ提供者側では自身の意図を反映したコンテンツをユーザに提供できる。
【０００７】
この場合、本発明は、散策型コンテンツガイドサービスを受けるユーザに対し、プッシュ的にそのコンテンツを専用コンテンツ表示エリアに提示することも可能である。
具体的には、複数のコンテンツＩＤをコンテンツリストとして第２のコンテンツリスト部に登録する第５のステップと、ユーザのガイドサービスへのログインを検出すると、第２のコンテンツリスト部の全てのコンテンツＩＤに対応する記憶部内のコンテンツプロファイルを各コンテンツＩＤ毎に順次取り出す第６のステップと、第６のステップの処理に基づき取り出されたコンテンツプロファイルを順次入力すると、入力したコンテンツプロファイルに含まれるサムネイル画像を、二次元画面にサムネイル画像の表示領域として設けられたサムネイル領域に順次表示する第７のステップと、第７のステップの処理に基づきサムネイル領域に表示中のサムネイル画像へのクリックを検出すると、このサムネイル画像に対応するコンテンツ及びプレビュー用コンテンツの何れか一方をこのコンテンツのＵＲＬをもとに取得し、二次元画面のサムネイル領域以外の領域に表示する第８のステップとを有するようにした方法である。
【０００８】
【発明の実施の形態】
以下、本発明について図面を参照して説明する。
図１は、本発明の実施の形態に係るプッシュ型コンテンツ提示装置の構成を示すブロック図である。
本装置は、ネットワークに接続可能な情報処理装置であって、図１に示すように、散策型コンテンツガイドクライアントと呼ばれるクライアントインタフェース８と、本体部１０とからなる。
【０００９】
ここで、クライアントインタフェース８は、図２に示すように、制御部１１と、この制御部１１によって制御され本体部１０と情報の送受信を行う送受信部１２と、記憶部１３と、操作部１４と、インターネット等のネットワーク２０と通信を行う通信部１５と、コンテンツの空間散策的な検索が可能であるとともに本体部１０からプッシュ的（強制的）に提示されるコンテンツが表示可能な散策空間１６Ａと後述のサムネイル画像が表示可能なサムネイル別枠表示エリア１６Ｂとを有する表示部（二次元画面）１６とからなる。
【００１０】
一方、本体部１０には、プッシュ型提示用コンテンツリスト管理部（第１のコンテンツリスト部）２と、別枠提示用コンテンツリスト管理部（第２のコンテンツリスト部）３と、プッシュ型提示用コンテンツ制御部（第１のコンテンツ制御部）４と、別枠提示用コンテンツ制御部（第２のコンテンツ制御部）５と、コンテンツプロファイル管理部６と、クライアントインタフェース８とのインタフェースである散策型コンテンツガイドインタフェース制御部（インタフェース制御部）７とが設けられている。
【００１１】
図３は、プッシュ型コンテンツ提示装置のハードウェア構成を示す図であり、プッシュ型コンテンツ提示装置は、マウスやキーボードなどの前記操作部１４と、前記通信部１５と、前記二次元画面である表示部１６と、プッシュ提示用コンテンツリスト管理部２，別枠提示用コンテンツリスト管理部３及びコンテンツプロファイル管理部６などの記憶手段と、プッシュ提示用コンテンツ制御部４の機能，別枠提示用コンテンツ制御部５の機能及び制御部１１の機能などをそれぞれ実現するための各プログラムが格納された記録媒体４０と、ＣＰＵ５０とからなる。そして、ＣＰＵ５０が記録媒体４０の各プログラムを読み出して実行することにより、前述の各部の機能を実現する。
【００１２】
このようなプッシュ型コンテンツ提示装置は次のようにして用いられる。
コンテンツ提供者或いはシステム管理者は、ユーザへのコンテンツの提供に先立ち、このプッシュ型コンテンツ提示装置の外部に設けられたコンテンツリスト作成・登録部１を用いて、プッシュ型提示用コンテンツリストと別枠表示用コンテンツリストとを作成する。作成したプッシュ型提示用コンテンツリストと別枠表示用コンテンツリストとはそれぞれ本体部１０内のプッシュ提示用コンテンツリスト管理部２及び別枠提示用コンテンツリスト管理部３に登録される。登録されたプッシュ型提示用コンテンツリスト及び別枠表示用コンテンツリストは、各々の機能においてクライアントインタフェース８の二次元画面１６に表示させるコンテンツのＩＤが順に記述されたものである。
【００１３】
クライアントインタフェース８の二次元画面１６上の散策空間１６Ａには、コンテンツに対応するサムネイル（例えば、コンテンツを映像とするとその映像が一目で分かるようにその映像を小さく表示した映像見本）が２次元的に配置され、本クライアントインタフェース８にはこうした各サムネイルが配置された散策空間１６Ａ中をユーザがズームイン／ズームアウト／パンをしながら空間散策（映像サーフィン）できる散策型コンテンツガイドサービスが提供されている。
【００１４】
そして、ユーザが画面空間１６Ａ中のサムネイルを操作部１４のマウスによりクリックするとメニュが開き、メニューから「プレビュー映像を見る」、「本視聴コンテンツを見る」などを選択することができる。ここで、サムネイルには、コンテンツを管理するためのコンテンツ１Ｄが付与されており、コンテンツＩＤをキーとしてユーザが選んだプレビューコンテンツや本視聴コンテンツを視聴することができる。
【００１５】
このように、クライアントインタフェース８は、散策型コンテンツガイドサービスであるブロードバンドコンテンツガイドサービスを実施するためのインタフェースであり、本特許出願人の別途出願による例えば特願２００１−１８９３７１，または特願２００２−０５６２７８に開示されているように、ユーザがプレビューを選択すると、サムネイルが画面中央に移動しながら大きくなり、そのサムネイルの中にストリーミング映像コンテンツを表示するビデオプレイヤーが立ち上がり、ストリーミングコンテンツのプレビューの視聴を可能にしている。
【００１６】
本実施の形態では、上記のような機能を利用し、ユーザが一定時間操作しないと自動的にプレビューコンテンツを配信させてユーザ側に提供するものである。すなわち、ユーザ側から見た場合、無操作状態が一定時間継続すると、或るサムネイルが自動的に中央に移動してそのサイズが大きくなり、そのサムネイルの位置に自動的に所定時間プレビュー映像が提示される。そしてその後、そのサムネイルが小さくなって元の位置に戻り、別のサムネイルが画面中央に移動してプレビューが開始される。ユーザ側から見れば、あたかもスクリーンセーバーのように次々と自動的にプレビューが開始されるように見える。
【００１７】
次に、以上のような機能を有するプッシュ型コンテンツ提示装置の動作について詳細に説明する。
まず、本プッシュ型コンテンツ提示装置の第１の動作例から説明する。
本体部１０内のコンテンツプロファイル管理部６には、コンテンツＩＤ、サムネイル画像、コンテンツタイトル、コンテンツＵＲＬ、プレビュー用コンテンツＵＲＬ、サムネイルの画面上での表示位置を表すＸＹ座標などがコンテンツプロファイルとして管理されている。なお、プレビュー用コンテンツＵＲＬとは、ネットワーク放送番組の番組宣伝用の短時間のストリーミングコンテンツのＵＲＬを言う。
【００１８】
本体部１０のプッシュ提示用コンテンツ制御部４は、クライアントインタフェース８の操作部１４がユーザにより一定時間操作されないことが制御部１１により検出され、その検出情報が制御部１１から送受信部１２及び散策型コンテンツガイドインタフェース制御部７を介して通知されると、プッシュ提示用コンテンツリスト管理部２に登録されているプッシュ型提示用コンテンツリスト上のコンテンツＩＤをキーとして、コンテンツプロファイル管理部６に問い合わせ、該当のコンテンツＩＤに対応するプレビュー用コンテンツＵＲＬ、コンテンツＵＲＬ、サムネイル画像及びその画像のＸＹ座標などのコンテンツプロファイルを、リストの順に（或いはランダムに）取り出し、散策型コンテンツガイドインタフェース制御部７を介しクライアントインタフェース８に順次送信する。
【００１９】
上記コンテンツリストのコンテンツＩＤに対応したプレビュー用コンテンツＵＲＬ、コンテンツＵＲＬ、サムネイル画像並びにその画像のＸＹ座標などのコンテンツプロファイルを、順次送受信部１２を介して受信したクライアントインタフェース８の制御部１１は、まず二次元画面１６の散策空間１６Ａ上の、受信ＸＹ座標に応じた位置に対応の受信サムネイル画像を順次表示する処理を行う。
【００２０】
こうして各サムネイル画像を該当表示位置に表示した後、制御部１１は、次に表示されている各サムネイル画像のうち、最も早く受信し表示したサムネイル画像（任意のサムネイル画像であっても良い）を選択し、選択したサムネイル画像を拡大表示しながら散策空間１６Ａの中央部に移動させ、散策空間１６Ａの中央部にその拡大画像を表示する処理を行うとともに、拡大表示されたサムネイル画像に対応するプレビュー用コンテンツＵＲＬをもとに、通信部１５を介してネットワーク２０上の該当サーバをアクセスし該当サーバからプレビュー用コンテンツを取得して、拡大表示されているサムネイル画像の位置にプレビュー用コンテンツを所定時間表示する処理を行う。
【００２１】
そして、その所定時間が経過すると、制御部１１は、同様にそのプレビュー用コンテンツを消去し、かつそのプレビュー用コンテンツの位置に拡大表示されているサムネイル画像を元のサイズまで縮小して本来の位置に表示する処理を行う。その後、次のサムネイル画像を同様に選択して、同様に散策空間１６Ａの中央部に拡大表示する処理を行う。このように、制御部１１は順次１つづつサムネイル画像を選択して散策空間１６Ａの中央部に拡大表示するとともに、拡大表示されているサムネイル画像の位置にプレビュー用コンテンツを所定時間表示する処理を行い、全てのサムネイル画像について前記処理が終了すると、最初に選択したサムネイル画像を選択して同様の処理を行う。
【００２２】
以上のようなプッシュ型コンテンツ提示装置の処理を、クライアントインタフェース８を利用するユーザ側から見ると、プッシュ提示用コンテンツリスト上に記述されたコンテンツＩＤに対応するプレビュー用ストリーミングコンテンツが順次、二次元画面１６の散策空間１６Ａに表示・紹介されるように見える。
【００２３】
このようにしてプッシュ型コンテンツ提示を実現することにより、比較的受動的なユーザに対し強制的にコンテンツを提示することができ、したがって受動的なユーザは新たなコンテンツとの出会いを享受できる。また、コンテンツ提供者は、自身の意図を反映したコンテンツをユーザに提供できる。
【００２４】
次に本プッシュ型コンテンツ提示装置の第２の動作例について説明する。
本体部１０の別枠提示用コンテンツ制御部５は、ユーザの操作部１４の操作によりユーザがサービス（前記の散策型コンテンツガイドサービス）にログインしたことがクライアントインタフェース８の制御部１１により検出され、その検出情報が送受信部１２及び散策型コンテンツガイドインタフェース制御部７を介して通知されると、別枠提示用コンテンツリスト管理部３に登録されている別枠提示用コンテンツリスト上の全てのコンテンツＩＤをキーとして、コンテンツプロファイル管理部６に問い合わせ、該当コンテンツＩＤに対応するコンテシツＵＲＬ、プレビュー用コンテンツＵＲＬ、サムネイル画像及びそのＸＹ座標を、リストの順に（或いはランダムに）、散策型コンテンツガイドインタフェース制御部７を介しクライアントインタフェース８に順次送信する。
【００２５】
上記コンテンツリスト上のコンテンツＩＤに対応するユンテンツＵＲＬ、プレビューコンテンツＵＲＬ、サムネイル画像並びにそのＸＹ座標を受信したクライアントインタフェース８の制御部１１は、二次元画面１６のコンテンツ別枠表示エリア１６Ｂ上の受信ＸＹ座標の位置に対応の受信サムネイル画像を順次表示する。このような表示をクライアントインタフェース８を利用するユーザ側から見ると、別枠提示用コンテンツリスト上に記述されたコンテンツＩＤに対応するサムネイル画像が二次元画面１６のサムネイル別枠表示エリア１６Ａ上に並んでいるように見える。
【００２６】
こうして二次元画面１６のコンテンツ別枠表示エリア１６Ｂ上に表示された各サムネイル画像をユーザが操作部１４のマウスによりクリックすると、制御部１１はこれを検出して対応するプレビュー用コンテンツのＵＲＬをもとに、通信部１５を介してネットワーク２０上の該当サーバをアクセスし該当サーバからプレビュー用コンテンツを取得して、二次元画面１６の散策空間１６Ａ上に表示する。その後、再度ユーザにより同じサムネイル画像がクリックされたら、制御部１１は該当のコンテンツＵＲＬをもとに、通信部１５を介してネットワーク２０上の該当サーバをアクセスし該当サーバから対応するコンテンツを取得して、二次元画面１６の散策空間１６Ａ上に表示する。なお、コンテンツ別枠表示エリア１６Ｂ上に表示されたサムネイル画像が最初にクリックされた時点で該当のコンテンツＵＲＬをもとにネットワーク２０上のサーバからコンテンツを取得し、散策空間１６Ａ上に表示するようにしても良い。このようにしてユーザは、二次元画面１６のサムネイル別枠表示エリア１６Ｂに表示されている各サムネイル画像をクリックすることでコンテンツやプレビュー用コンテンツを閲覧することができる。
【００２７】
このように、第２の動作例では、別枠提示用コンテンツリスト上に記述されたコンテンツＩＤに対応するサムネイル画像を二次元画面１６のサムネイル別枠表示エリア１６Ａに表示するとともに、ユーザがこれらの各サムネイル画像をクリックすることで対応のコンテンツやプレビュー用コンテンツを閲覧可能にしたものである。この結果、従来のバナー広告とは異なりプレビュー用コンテンツのＵＲＬに基づくプレビュー用コンテンツヘのリンクが可能になることから、ユーザはそのプレビュー用コンテンツを視聴してから対応のコンテンツを閲覧（購入）することができ、したがって、従来のバナー広告に比較してコンテンツを閲覧（購入）する場合の情報量が多くなる。これにより、ユーザは自身が真に閲覧（購入）したいコンテンツのみを閲覧（購入）することができる。
【００２８】
【発明の効果】
以上説明したように本発明によれば、膨大なネットワークコンテンツを検索対象とし、ユーザが所望するコンテンツ、或いはコンテンツ提供者がお勧めするコンテンツヘのガイドサービスを行うコンテンツガイドシステムにおいて、システム管理者、或いはコンテンツ提供者が選んだお勧めコンテンツをコンテンツリストとして管理し、散策型コンテンツガイドサービスを受けるユーザに対し、プッシュ的にそのコンテンツを提示するようにしたので、受動的なユーザに対し強制的にコンテンツを提示できることから、受動的なユーザにおいては、新たなコンテンツとの出会いを享受できるとともに、コンテンツ提供者側では自身の意図を反映したコンテンツをユーザに提供できる。
【００２９】
この場合、散策型コンテンツガイドサービスを受けるユーザに対し、プッシュ的にそのコンテンツを専用コンテンツ表示エリアに提示するようにしたので、受動的なユーザにおいては、同様に新たなコンテンツとの出会いを享受できるとともに、コンテンツ提供者側では自身の意図を反映したコンテンツをユーザに提供できる。また、プレビュー用コンテンツヘのリンクが可能になることから、ユーザはそのプレビュー用コンテンツを視聴してから対応のコンテンツを閲覧（購入）することができ、したがって、従来のバナー広告に比較してコンテンツを閲覧（購入）する場合の情報量が多くなる。これにより、ユーザは自身が真に閲覧（購入）したいコンテンツのみを閲覧（購入）することができる。
【図面の簡単な説明】
【図１】本発明に係るプッシュ型コンテンツ提示装置の構成を示す機能ブロック図である。
【図２】上記プッシュ型コンテンツ提示装置を構成する散策型コンテンツガイドクライアントインタフェースの機能ブロック図である。
【図３】上記プッシュ型コンテンツ提示装置のハードウェア構成を示す図である。
【符号の説明】
１…コンテンツリスト作成・登録部、２…プッシュ提示用コンテンツリスト管理部（第１のコンテンツリスト部）、３…別枠提示用コンテンツリスト管理部（第２のコンテンツリスト部）、４…プッシュ提示用コンテンツ制御部（第１のコンテンツ制御部）、５…別枠提示用コンテンツ制御部（第２のコンテンツ制御部）、６…コンテンツプロファイル管理部、７…散策型コンテンツガイドインタフェース制御部（インタフェース制御部）、８…散策型コンテンツガイドクライアントインタフェース（クライアントインタフェース）、１０…本体部、１１…制御部、１２…送受信部、１３…記憶部、１４…操作部、１５…通信部、１６…表示部（二次元画面）、１６Ａ…散策空間、１６Ｂ…サムネイル別枠表示エリア。
【図１】
2004078475.tif 000003
【図２】
2004078475.tif 000004
【図３】
2004078475.tif 000005